(57)【要約】      （修正有）【課題】幼児や子供などが指をはさむ事故を防止するドアの指つめ防止装置を提供する。【解決手段】ガラス扉が閉じた状態でガラス扉１の戸尻にステンレス製の折り曲げ品３を金属用両面テープ又は、接着剤で固定し、両端部にステンレス製長蝶番４の片方を固定し、ステンレス製長蝶番４のもう片方にポリカーボネート樹脂シート７で保護カバーを固定し、サッシ枠２の両端に取り付けたステンレス製の折り曲げ品５を金属用両面テープ又は、接着剤又はビスで固定し、ステンレス製長蝶番６の片方を固定し、ステンレス製長蝶番４に取り付けたポリカーボネート樹脂シート７で保護カバーの片方を、ステンレス製長蝶番６のもう片方にポリカーボネート樹脂シート７で保護カバーを固定し袋状にし、ガラス扉１の戸尻の内、外両面にポリカーボネート樹脂シート７で保護カバーを付ける。【選択図】図５
0003143350.tif 000002
【実用新案登録請求の範囲】
【請求項１】
ガラス扉の戸尻と壁又は、サッシ枠に指つめ（はさむ）事故を、防止する為に、ポリカーボネート樹脂シイートで保護カバーを、取り付ける装置の考案。
【請求項２】
ガラス扉の戸尻にポリカーボネート樹脂シイートで保護カバーに危険を知らしめる為のシール貼るか、コマーシャルシールを貼る。
【考案の詳細な説明】
【技術分野】
【０００１】本考案は、デパートやショッピングモール、病院などのガラス扉の支軸と壁又は、サッシ枠の戸尻に、伝い歩きから小学校低学年くらいまでの幼児、子供が指つめ（はさむ）事故が多発している現状で防止する為に考案したドアの指つめ防止装置である。
【背景技術】
【０００２】出願番号  特許公開平０９−１１２１２４  ドアの指つめ防止装置とあるが、スチールドアとサッシ枠のドアの指つめ防止装置である。【０００３】出願番号  実用新案出願２００５−３９８２  トイレ用等の指挟み防止装置と有るが、本考案は違い、扉の厚みが有り戸先と戸尻に弾性材を取り付ける事により指挟みを、防止をする装置
【考案の開示】
【考案が解決しようとする課題】
【０００４】  デパートやショッピングモール、病院などのガラス扉の支軸と壁又は、サッシ枠の戸尻に、伝い歩きから小学校低学年くらいまでの幼児、子供が指つめ（はさむ）事故が多発しているのは、子供づれの親が自分の用事を果す時、伝い歩きから小学校低学年くらいまでの幼児、子供が親の目をはなしたスキに、子供の兄弟や一人遊びでガラス扉を開けたり閉めたりしているうちにガラス扉の戸尻と壁又は、サッシ枠の間に指つめ（はさむ）ことになり、いまどきの親は、うちの子は悪くない、デパートやショッピングモール、病院が悪いから慰謝料と言い出し、施設側が泣き寝入りしている。
【考案が解決するための手段】
【０００５】  上記の目的を、達成するためには、ガラス扉の戸尻と壁又は、サッシ枠の間に指つめ（はさむ）ないように防止する為に、ポリカーボネート樹脂シイートで保護カバーを、取り付ける装置を考案した。
【考案の効果】
【０００６】  上述の様に、本考案は、デパートやショッピングモール、病院などのガラス扉の支軸と壁又は、サッシ枠の戸尻に、伝い歩きから小学校低学年くらいまでの幼児、子供が指つめ（はさむ）事故が多発しているのは、子供づれの親が自分の用事を果す時、伝い歩きから小学校低学年くらいまでの幼児、子供が親の目をはなしたスキに、子供の兄弟や一人遊びでガラス扉を開けたり閉めたりしているうちにガラス扉の戸尻と壁又は、サッシ枠の間に指つめ（はさむ）こと防止する事が出来る装置の考案。
【考案を実施するための最良の形態】
【０００７】  図１に本考案実施例の全体図を示し、図２にその要部のガラス扉が閉じた状態の断面図を示し、図３  図４ガラス扉が開いた状態の横断面図を示す。【０００８】  図１に本考案実施例で、１ガラス扉で閉じている状態、２サッシ枠で、７本考案のポリカーボネート樹脂シイートで保護カバーを、取り付けた状態を示す。【０００９】  本考案は、図２ガラス扉が閉じた状態では、１ガラス扉の戸尻と２サッシ枠とのスキマが数ミリもなく、図３  図４ガラス扉が開いた状態では、１ガラス扉の戸尻と２サッシ枠とのスキマが数十ミリとなり伝い歩きから小学校低学年くらいまでの幼児、子供が指つめ（はさむ）事故が多発しているのは、子供づれの親が自分の用事を果す時、伝い歩きから小学校低学年くらいまでの幼児、子供が親の目をはなしたスキに、子供の兄弟や一人遊びで指つめ（はさむ）事故が多発するのを、ポリカーボネート樹脂シイートで保護カバーを取り付けて防止する。
【実施】
【００１０】  図１に本考案実施例の全体図を示し、１ガラス扉で閉じている状態、２サッシ枠で、７本考案のポリカーボネート樹脂シイートで保護カバーを、取り付けた状態を示す。
【００１１】  図２に本考案実施例の断面図を示し、両開きの１ガラス扉で閉じている状態で、２サッシ枠で、７本考案のポリカーボネート樹脂シイートで保護カバーを、取り付けた状態を示す。
【００１２】  図３、に本考案実施例の断面図を示し、入る時の状態で１ガラス扉が開いた時に、２サッシ枠で、７本考案のポリカーボネート樹脂シイートで保護カバーが１ガラス扉に追尾しスキマを保護し、伝い歩きから小学校低学年くらいまでの幼児、子供を指つめ（はさむ）事故から護る事が出来る装置の考案。
【００１３】  図４、に本考案実施例の断面図を示し、出る時の状態で１ガラス扉が開いた時に、２サッシ枠で、７本考案のポリカーボネート樹脂シイートで保護カバーが１ガラス扉に追尾しスキマを保護し、伝い歩きから小学校低学年くらいまでの幼児、子供を指つめ（はさむ）事故から護る事が出来る装置の考案。
【００１４】  図５、１ガラス扉が閉じた状態で１ガラス扉の戸尻に３ステンレス製の折り曲げ品を金属用両面テープ又は、接着剤で固定し、両端部にステンレス製４長蝶番の片方を固定し、ステンレス製４長蝶番のもう片方に７ポリカーボネート樹脂シイートで保護カバーを固定し、２サッシ枠の両端に取り付けた５ステンレス製の折り曲げ品を金属用両面テープ又は、接着剤又は、ビスで固定しステンレス製６長蝶番の片方を固定し、ステンレス製４長蝶番に取り付けた７ポリカーボネート樹脂シイートで保護カバーの片方を、ステンレス製６長蝶番のもう片方に７ポリカーボネート樹脂シイートで保護カバーを固定し袋状にし、１ガラス扉の戸尻の内、外両面に７ポリカポーネト樹脂シイートで保護カバーを付けることにより、図６、１ガラス扉が開いた状態では、１ガラス扉の戸尻と２サッシ枠とのスキマが数十ミリとなり、図５、１ガラス扉が閉じた状態では、１ガラス扉の戸尻と２サッシ枠とのスキマが数ミリとなり、子供が指つめ（はさむ）事故にならないように、７ポリカーボネート樹脂シイートで保護カバーが１ガラス扉に追尾しスキマを保護し、指つめ（はさむ）事故が防止する装置の考案。
【００１５】  伝い歩きから小学校低学年くらいまでの幼児、子供が指つめ（はさむ）事故が多発しているのは、子供づれの親が自分の用事を果す時、伝い歩きから小学校低学年くらいまでの幼児、子供が親の目をはなしたスキに、子供の兄弟や、一人遊びで指つめ（はさむ）事故が防止できる装置の考案。
【００１６】  請求項２で示す、ガラス扉の戸尻にポリカーボネート樹脂シイートで保護カバーに危険を知らしめる為のシールを貼るか、コマーシャルシールを貼る。
【符号の説明】
１―ガラス扉
２―サッシ枠
３―ステンレス製の折り曲げ品
４―長蝶番
５―ステンレス製の折り曲げ品
６―長蝶番
７―ポリカーボネート樹脂シイート
【図１】
0003143350.tif 000003
【図２】
0003143350.tif 000004
【図３】
0003143350.tif 000005
【図４】
0003143350.tif 000006
【図５】
0003143350.tif 000007
【図６】
0003143350.tif 000008
【手続補正書】
【提出日】平成20年1月23日(2008.1.23)
【手続補正１】
【補正対象書類名】実用新案登録請求の範囲
【補正対象項目名】全文
【補正方法】変更
【補正の内容】
【実用新案登録請求の範囲】
【請求項１】
本考案は、デパートやショッピングモール、病院などのガラス扉の支軸と壁又は、サッシ枠の戸尻に、伝い歩きから小学校低学年くらいまでの幼児、子供が指つめ（はさむ）事故が多発しているのを防ぐ為に、図５，１ガラス扉が閉じた状態で１ガラス扉の戸尻に３ステンレス製の折り曲げ品を金属用両面テープ又は、接着剤で固定し、両端部にステンレス製４長蝶番の片方を固定し、ステンレス製４長蝶番のもう片方に７ポリカーボネート樹脂シイートで保護カバーを固定し、２サッシ枠の両端に取り付けた５ステンレス製の折り曲げ品を金属用両面テープ又は、接着剤、ビスで固定しステンレス製６長蝶番の片方を固定し、ステンレス製６長蝶番のもう片方に７ポリカーボネート樹脂シイートで保護カバーを袋状に固定し、１ガラス扉の戸尻の内、外両面に７ホリカーボネート樹脂シイートで保護カバーを付けることにより、図６，１ガラス扉が開いた状態では、１ガラス扉の戸尻と２サッシ枠とのスキマが数十ミリとなり、図５．１ガラス扉が閉じた状態では、１ガラス扉の戸尻と２サッシ枠とのスキマが数ミリとなり、子供が指つめ（はさむ）事故にならないように、７ホリカーボネート樹脂シイートで保護カバーが１ガラス扉に追尾しスキマを保護し、７ホリカーボネート樹脂シイートの保護カバーに危険を知らしめる為のシールを貼るか、又は、コマーシャルシールを貼る事により、指つめ（はさむ）事故を防止する装置の考案。
【手続補正２】
【補正対象書類名】明細書
【補正対象項目名】全文
【補正方法】変更
【補正の内容】
【考案の詳細な説明】
【技術分野】
【０００１】本考案は、デパートやショッピングモール、病院などのガラス扉の支軸と壁又は、サッシ枠の戸尻に、伝い歩きから小学校低学年くらいまでの幼児、子供が指つめ（はさむ）事故が多発している現状で防止する為に考案したドアの指つめ防止装置である。
【背景技術】
【０００２】出願番号  特許公開平０９−１１２１２４  ドアの指つめ防止装置とあるが、スチールドアとサッシ枠のドアの指つめ防止装置である。【０００３】出願番号  実用新案出願２００５−３９８２  トイレ用等の指挟み防止装置と有るが、本考案は違い、扉の厚みが有り戸先と戸尻に弾性材を取り付ける事により指挟みを、防止をする装置
【考案の開示】
【考案が解決しようとする課題】
【０００４】  デパートやショッピングモール、病院などのガラス扉の支軸と壁又は、サッシ枠の戸尻に、伝い歩きから小学校低学年くらいまでの幼児、子供が指つめ（はさむ）事故が多発しているのは、子供づれの親が自分の用事を果す時、伝い歩きから小学校低学年くらいまでの幼児、子供が親の目をはなしたスキに、子供の兄弟や一人遊びでガラス扉を開けたり閉めたりしているうちにガラス扉の戸尻と壁又は、サッシ枠の間に指つめ（はさむ）ことになり、いまどきの親は、うちの子は悪くない、デパートやショッピングモール、病院が悪いから慰謝料と言い出し、施設側が泣き寝入りしている。
【考案が解決するための手段】
【０００５】  上記の目的を、達成するためには、ガラス扉の戸尻と壁又は、サッシ枠の間に指つめ（はさむ）ないように防止する為に、ポリカーボネート樹脂シイートで保護カバーを、取り付ける装置を考案した。
【考案の効果】
【０００６】  上述の様に、本考案は、デパートやショッピングモール、病院などのガラス扉の支軸と壁又は、サッシ枠の戸尻に、伝い歩きから小学校低学年くらいまでの幼児、子供が指つめ（はさむ）事故が多発しているのは、子供づれの親が自分の用事を果す時、伝い歩きから小学校低学年くらいまでの幼児、子供が親の目をはなしたスキに、子供の兄弟や一人遊びでガラス扉を開けたり閉めたりしているうちにガラス扉の戸尻と壁又は、サッシ枠の間に指つめ（はさむ）こと防止する事が出来る装置の考案。
【考案を実施するための最良の形態】
【０００７】  図１に本考案実施例の全体図を示し、図２にその要部のガラス扉が閉じた状態の断面図を示し、図３  図４ガラス扉が開いた状態の横断面図を示す。【０００８】  図１に本考案実施例で、１ガラス扉で閉じている状態、２サッシ枠で、７本考案のポリカーボネート樹脂シイートで保護カバーを、取り付けた状態を示す。【０００９】  本考案は、図２ガラス扉が閉じた状態では、１ガラス扉の戸尻と２サッシ枠とのスキマが数ミリもなく、図３  図４ガラス扉が開いた状態では、１ガラス扉の戸尻と２サッシ枠とのスキマが数十ミリとなり伝い歩きから小学校低学年くらいまでの幼児、子供が指つめ（はさむ）事故が多発しているのは、子供づれの親が自分の用事を果す時、伝い歩きから小学校低学年くらいまでの幼児、子供が親の目をはなしたスキに、子供の兄弟や一人遊びで指つめ（はさむ）事故が多発するのを、ポリカーボネート樹脂シイートで保護カバーを取り付けて防止する。
【実施】
【００１０】  図１に本考案実施例の全体図を示し、１ガラス扉で閉じている状態、２サッシ枠で、７本考案のポリカーボネート樹脂シイートで保護カバーを、取り付けた状態を示す。
【００１１】  図２に本考案実施例の断面図を示し、両開きの１ガラス扉で閉じている状態で、２サッシ枠で、７本考案のポリカーボネート樹脂シイートで保護カバーを、取り付けた状態を示す。
【００１２】  図３、に本考案実施例の断面図を示し、入る時の状態で１ガラス扉が開いた時に、２サッシ枠で、７本考案のポリカーボネート樹脂シイートで保護カバーが１ガラス扉に追尾しスキマを保護し、伝い歩きから小学校低学年くらいまでの幼児、子供を指つめ（はさむ）事故から護る事が出来る装置の考案。
【００１３】  図４、に本考案実施例の断面図を示し、出る時の状態で１ガラス扉が開いた時に、２サッシ枠で、７本考案のポリカーボネート樹脂シイートで保護カバーが１ガラス扉に追尾しスキマを保護し、伝い歩きから小学校低学年くらいまでの幼児、子供を指つめ（はさむ）事故から護る事が出来る装置の考案。
【００１４】  図５、１ガラス扉が閉じた状態で１ガラス扉の戸尻に３ステンレス製の折り曲げ品を金属用両面テープ又は、接着剤で固定し、両端部にステンレス製４長蝶番の片方を固定し、ステンレス製４長蝶番のもう片方に７ポリカーボネート樹脂シイートで保護カバーを固定し、２サッシ枠の両端に取り付けた５ステンレス製の折り曲げ品を金属用両面テープ又は、接着剤又は、ビスで固定しステンレス製６長蝶番の片方を固定し、ステンレス製４長蝶番に取り付けた７ポリカーボネート樹脂シイートで保護カバーの片方を、ステンレス製６長蝶番のもう片方に７ポリカーボネート樹脂シイートで保護カバーを固定し袋状にし、１ガラス扉の戸尻の内、外両面に７ポリカポーネト樹脂シイートで保護カバーを付けることにより、図６、１ガラス扉が開いた状態では、１ガラス扉の戸尻と２サッシ枠とのスキマが数十ミリとなり、図５、１ガラス扉が閉じた状態では、１ガラス扉の戸尻と２サッシ枠とのスキマが数ミリとなり、子供が指つめ（はさむ）事故にならないように、７ポリカーボネート樹脂シイートで保護カバーが１ガラス扉に追尾しスキマを保護し、指つめ（はさむ）事故が防止する装置の考案。
【００１５】  伝い歩きから小学校低学年くらいまでの幼児、子供が指つめ（はさむ）事故が多発しているのは、子供づれの親が自分の用事を果す時、伝い歩きから小学校低学年くらいまでの幼児、子供が親の目をはなしたスキに、子供の兄弟や、一人遊びで指つめ（はさむ）事故が防止できる装置の考案。
【図面の簡単な説明】
【００１６】
【図１】は、立面図
【図２】は、平面図
【図３】は、向かう側に開いた時の平面図
【図４】は、手前側に開いた時の平面図
【図５】は、吊元側形状詳細及び符号の平面図
【図６】は、向こう側に開いた時の形状詳細及び符号の平面図
【符号の説明】
【００１７】１―ガラス扉
２―サッシ枠
３―ステンレス製の折り曲げ品
４―長蝶番
５―ステンレス製の折り曲げ品
６―長蝶番
７―ポリカーボネート樹脂シイート
【手続補正書】
【提出日】平成20年4月15日(2008.4.15)
【手続補正１】
【補正対象書類名】実用新案登録請求の範囲
【補正対象項目名】全文
【補正方法】変更
【補正の内容】
【実用新案登録請求の範囲】
【請求項１】
本考案は、ガラス扉の支軸と壁又は、サッシ枠の戸尻に、指つめを防止する為の装置であって、ガラス扉１が閉じた状態でガラス扉１の戸尻にステンレス製の折り曲げ品３を金属用両面テープ又は、接着剤で固定し、両端部にステンレス製長蝶番４の片方を固定し、ステンレス製長蝶番４のもう片方にポリカーボネート樹脂シイート７で保護カバーを固定し、サッシ枠２の両端に取り付けたステンレス製の折り曲げ品５を金属用両面テープ又は、接着剤、ビスで固定しステンレス製長蝶番６の片方を固定し、ステンレス製長蝶番６のもう片方にポリカーボネート樹脂シイート７で保護カバーを袋状に固定し、ガラス扉１の戸尻の内、外両面にホリカーボネート樹脂シイート７で保護カバーを付けることにより、ガラス扉１が開いた状態では、ガラス扉１の戸尻とサッシ枠２との隙間が数十ミリとなり、ガラス扉１が閉じた状態では、ガラス扉１の戸尻とサッシ枠２との隙間が数ミリとなり、指つめ事故にならないように、ホリカーボネート樹脂シイート７で保護カバーがガラス扉１に追尾し隙間を保護し、ホリカーボネート樹脂シイート７の保護カバーに危険を知らしめる為のシールを貼るか、又は、コマーシャルシールを貼る事を特徴とするドアの指つめ防止装置。